(57)【要約】【課題】比較的強い揺れが発生した際にも、横フレームの変形を抑制すること。【解決手段】縦フレーム３と横フレーム５を備えるフレーム構造のキャビネットと、縦フレームと横フレームとを連結するように設けるコーナー補強材７と、を備えるキャビネットの補強構造１０である。この横フレームとキャビネット底部１９とを固定する固定金具９をコーナー補強材の近傍に設ける。【選択図】図２
2017147310.tif 000002
【特許請求の範囲】
【請求項１】
縦フレームと横フレームを備えるフレーム構造のキャビネットと、
前記縦フレームと前記横フレームとを連結するように設けるコーナー補強材と、を備えるキャビネットの補強構造であって、
前記横フレームとキャビネットの底部とを固定する固定金具をコーナー補強材の近傍に設けるキャビネットの補強構造。
【請求項２】
縦フレームとコーナー補強材とを接続する縦接続部と、横フレームとコーナー補強材とを接続する横接続部とを備え、前記固定金具を縦接続部と横接続部を結んだ線の延長線上に、若しくは、前記延長線上に隣接して設けた、請求項１に記載のキャビネットの補強構造。
【発明の詳細な説明】
【技術分野】
【０００１】
本発明は、キャビネットを補強する構造に関するものである。
【背景技術】
【０００２】
従来から、サーバーなどの各種電気機器を収納するため、キャビネットが用いられている。このキャビネットの収納物を地震の揺れなどから保護するため、特別な手段を採用することが知られている。例えば、特許文献１に示されているように、縦フレームと横フレームとを連結するコーナー補強材を設けることで筐体の強度を増すことが知られている。
【先行技術文献】
【特許文献】
【０００３】
【特許文献１】特開２０１３−２３２４５３号公報
【０００４】
ところで、コーナー補強材の左右方向に向けて強い揺れが発生したとき、コーナー補強材に引っ張られ、横フレームが変形するおそれがあった。また、縦フレームと横フレームとを連結させたコーナー補強材の効果を十分に得ることができない虞があった。
【発明の概要】
【発明が解決しようとする課題】
【０００５】
本発明の目的は、比較的強い揺れが発生した際にも、横フレームの変形を抑制することである。また、コーナー補強材の効果を強くすることで、筐体の強度を増すことである。
【課題を解決するための手段】
【０００６】
上記課題を解決するため、次のような手段を採用する。第一の手段は、縦フレームと横フレームを備えるフレーム構造のキャビネットと、前記縦フレームと前記横フレームとを連結するように設けるコーナー補強材と、を備えるキャビネットの補強構造であって、前記横フレームとキャビネットの底部とを固定する固定金具をコーナー補強材の近傍に設けたキャビネットの補強構造とする。
【０００７】
本明細書におけるコーナー補強材の近傍とは、縦フレームと横フレームとの交点から、コーナー補強材の一辺（横フレームに接する辺）の長さＷの２倍の位置までのことをいう。
【０００８】
また、第一の手段において、縦フレームとコーナー補強材とを接続する縦接続部と、横フレームとコーナー補強材とを接続する横接続部とを備え、前記固定金具を縦接続部と横接続部を結んだ線の延長線上に、若しくは、前記延長線上に隣接して設けた構成とする第二の手段が好ましい。
【発明の効果】
【０００９】
第一の手段では、フレームとキャビネットの底部とを固定する固定金具をコーナー補強材の近傍に設けている。したがって、強い揺れが発生した際にも、横フレームが変形することを抑制することが可能となる。また、コーナー補強材の効果を強くすることで、筐体の強度を増すことが可能となる。
【００１０】
第二の手段では、縦接続部と横接続部とを結んだ線の延長線上、もしくは、当該延長線上に隣接した位置に固定金具が設けられている。このため、横フレームに力がかけられる部位を効率よく補強することが可能となる。
【図面の簡単な説明】
【００１１】
【図１】実施の形態の補強構造が適用されたキャビネットの斜視図である。
【図２】固定金具の周りをキャビネットの内側から見た斜視図である。
【図３】第二の実施の形態のコーナー補強材の正面図である。
【図４】固定金具に用いられる接続材の斜視図である。
【発明を実施するための形態】
【００１２】
以下に発明を実施するための形態を示す。図１は実施の形態の補強構造１０が適用されたキャビネット１の斜視図である。キャビネット１の下方には、基台８２が設けられている。図２は固定金具９の周りをキャビネット１の内側から見た斜視図である。図１に示すように、本実施の形態においては、キャビネット１は縦フレーム３、横フレーム５などのフレームで構成されている。より詳しくは、垂直方向に延びる縦フレーム３、扉１２が設けられている開口１３から見て奥行方向に延びる奥行フレーム１８、開口１３から見て左右方向に延びる横フレーム５を備えている。
【００１３】
本実施の形態においては、縦フレーム３と横フレーム５とを連結するようにコーナー補強材７が設けられている。このコーナー補強材７はキャビネット１の補強を行うために設けられている。本実施の形態のコーナー補強材７は側面視で略直角三角形の面を有するプレートを用いて構成されている。この直角三角形の一辺に相当する部位は横フレーム５に沿うように配置されている。また、他の一辺に相当する部位は縦フレーム３沿うように配置されている。このコーナー補強材７は突状部７２がフレームの孔１４に挿入されて接続されている。なお、図からは理解しにくいが、突状部７２は、縦フレーム３及び横フレーム５の各孔１４に挿入されている。コーナー補強材７と縦フレーム３とが接続された縦接続部１６やコーナー補強材７と横フレーム５とが接続されて横接続部１７は、コーナー補強材７とフレームとの間で力の伝達が生じる部位である。
【００１４】
図３は第二の実施の形態のコーナー補強材７の正面図である。第二の実施の形態のコーナー補強材７は、正面視で略直角三角形状ではあるものの、斜辺に相当する部位が内側に向けて凹むように形成されている。このような形態であると、キャビネット１内外間における機器の出し入れの際に、コーナー補強材７が障害となることが抑制される。なお図３に示したコーナー補強材７では、縦フレーム３に設けられた孔１４に挿入される突状部７２は二つであり、横フレーム５に設けられた孔１４に挿入される突状部７２は一つである。突状部７２が縦フレーム３に設けられた孔１４に挿入されている部位が縦接続部１６であり、突状部７２が横フレーム５に設けられた孔１４に挿入されている部位が横接続部１７である。
【００１５】
コーナー補強材７の近傍には、固定金具９が設けられている。本明細書では、縦フレーム３と横フレーム５との交点から、コーナー補強材７の一辺（横フレーム５に接する辺）の長さＷの２倍の位置までをコーナー補強材７の近傍という。この位置に固定金具９が配置されていると、キャビネット１の補強を効率よく行うことが可能となる。固定金具９の設置位置はコーナー補強材７に近いほど良い。縦接続部１６や横接続部１７はコーナー補強材７とフレームとの間で力の伝達が生じる部位であるため、縦接続部１６と横接続部１７を結ぶ延長線上、もしくは延長線に隣接して設けることで補強性能を効率よく向上させることが可能となる。なお図２においては、破線で記した矢印を用いて、この延長線を概念的に示している。
【００１６】
この固定金具９は横フレーム５とキャビネット底部１９とを固定するために用いられる。本実施の形態の固定金具９は接続材９１とボルト９５を備えている。図４は固定金具９に用いられる接続材９１の斜視図である。本実施の形態の接続材９１は貫通穴９７を備えた略直方体形状の板を側面視で略Ｕ字形状となるように屈曲形成させている。この接続材９１には横フレーム５の孔１４に挿入されて接続される突起９３を備えている。接続材９１の突起９３を横フレーム５の孔１４に挿入した状態で接続材９１をボルト９５でキャビネット底部１９に固定すると、横フレーム５とキャビネット底部１９とが固定されることになる。本実施の形態においては、底板２０と接続材９１とがボルト９５を用いて締結されている。
【００１７】
本実施の形態の補強構造１０では、固定金具９は、横フレーム５の側面と接続するとともに底板２０の上面と接続している。固定金具９の上端は横フレーム５の上端よりも下方に位置している。また、接続材９１のＵ字状の側面が横フレーム５に沿って配置されている。
【００１８】
本実施の形態の補強構造１０では、締結部材であるボルト９５を締め付けることでキャビネット１が補強された状態としている。また、ボルト９５を緩めることでキャビネット１が補強された状態を解除することも可能である。
【００１９】
以上、一つの実施の形態について説明してきたが、本発明は上記実施の形態に限定されることはなく、各種の態様とすることが可能である。例えば、固定金具と接続されるキャビネット底部は、キャビネットの床を形成する底板である必要はない。例えば、キャビネットを接地面と固定するためにキャビネットの下方に設けられた基台とすることも可能である。
【００２０】
固定金具は、横フレームとキャビネット底部とを固定できる形状であればよい。したがって、各種形状とすることが可能である。また、キャビネットの内側から横フレームとキャビネット底部とを固定しなくてもよい。キャビネットの外側から横フレームとキャビネット底部を固定することも可能である。
【符号の説明】
【００２１】
１  キャビネット
３  縦フレーム
５  横フレーム
７  コーナー補強材
９  固定金具
１０  補強構造
１６  縦接続部
１７  横接続部
１９  キャビネット底部
【図１】
2017147310.tif 000003
【図２】
2017147310.tif 000004
【図３】
2017147310.tif 000005
【図４】
2017147310.tif 000006